(57)【要約】【課題】クロストーク等の画質不良を抑制することができる表示装置を提供する。【解決手段】映像信号の書き込みに先立って、あらかじめプリチャージ信号を書き込む方式を採る表示装置であって、各信号ラインに一斉にプリチャージ信号を印加し、その後、先に書き込みを行なう画素に映像信号が供給された後に、後に書き込みを行なう画素へのプリチャージ信号の供給を停止する。【選択図】図４
2007240748.tif 000002
【特許請求の範囲】
【請求項１】
行方向に配されたゲートラインと、列方向に配された信号ラインと、各ゲートラインと各信号ラインが交差する部分に配された行列状の画素とを有する画素アレイ部と、
各ゲートラインに接続され、所定の垂直走査期間で各画素を行毎に順次選択する垂直駆動回路と、
映像信号を供給する映像ラインと、
該映像ラインと各信号ラインとの間に接続された第１のスイッチング素子群と、
所定の水平走査期間で前記第１のスイッチング素子群の各スイッチング素子を順次駆動し、選択された行の画素に映像信号を書き込む水平駆動回路と、
プリチャージ信号を供給するプリチャージラインと、
該プリチャージラインと各信号ラインとの間に接続された第２のスイッチング素子群と、
各所定の水平走査期間に先立つ水平ブランキング期間で前記第２のスイッチング素子群の各スイッチング素子を一斉に駆動し、各信号ラインに一斉にプリチャージ信号を印加するプリチャージ駆動回路とを備える表示装置において、
先に書き込みを行なう画素に映像信号が供給された後に、後に書き込みを行なう画素へのプリチャージ信号の供給を停止する
ことを特徴とする表示装置。
【請求項２】
前記プリチャージ駆動回路は、第１のレベルの第１のプリチャージ信号を印加した後に、第２のレベルの第２のプリチャージ信号を印加する
ことを特徴とする請求項１に記載の表示装置。
【請求項３】
前記第１のプリチャージ信号は黒レベルのプリチャージ信号であり、前記第２のプリチャージ信号はグレーレベルのプリチャージ信号である
ことを特徴とする請求項２に記載の表示装置。
【請求項４】
行方向に配されたゲートラインと、列方向に配された信号ラインと、各ゲートラインと各信号ラインが交差する部分に配された行列状の画素とを有する画素アレイ部と、
各ゲートラインに接続され、所定の垂直走査期間で各画素を行毎に順次選択する垂直駆動回路と、
映像信号を供給する映像ラインと、
該映像ラインと各信号ラインとの間に接続された第１のスイッチング素子群と、
所定の水平走査期間で前記第１のスイッチング素子群の各スイッチング素子を順次駆動し、選択された行の画素に映像信号を書き込む水平駆動回路と、
プリチャージ信号を供給するプリチャージラインと、
該プリチャージラインと各信号ラインとの間に接続された第２のスイッチング素子群と、
各所定の水平走査期間に先立つ水平ブランキング期間で前記第２のスイッチング素子群の各スイッチング素子を一斉に駆動し、各信号ラインに一斉にプリチャージ信号を印加するプリチャージ駆動回路とを有する表示装置を備え、
該表示装置によって変調された光を用いて映像表示を行なう映像表示装置において、
先に書き込みを行なう画素に映像信号が供給された後に、後に書き込みを行なう画素へのプリチャージ信号の供給を停止する
ことを特徴とする映像表示装置。
【発明の詳細な説明】
【技術分野】
【０００１】
本発明は表示装置及び映像表示装置に関する。詳しくは、映像信号の書き込みに先立って、あらかじめプリチャージ信号を書き込む方式を採る表示装置及び映像表示装置に係るものである。
【背景技術】
【０００２】
図８を参照して従来のアクティブマトリクス駆動方式の液晶表示装置を説明する。アクティブマトリクス駆動方式の液晶表示装置は、行方向に配されたゲートライン２０１と、列方向に配された信号ライン２０２と、両者の各交差部に配された保持容量２０３を有する行列状の液晶画素２０４とを備えており、保持容量の一端は保持容量の基準電位を供給するコモンライン２２０と接続されている。また、ゲートラインは、書き込みを行なう行を選択する走査回路２０５に接続されており、信号ラインは、映像信号の書き込みを行なうサンプルホールド回路２０６及びプリチャージ信号の供給を行なうプリチャージ回路２０７に接続されている。
なお、図８では説明の便宜上３行×３列のみを表しているものの、実際には画素は数十万〜数百万個配置されている。
【０００３】
上記の様に構成された液晶表示装置では、走査回路により各ゲートラインを線順次で走査して一水平期間（１Ｈ）毎に一行分の液晶画素を選択する。そして、サンプルホールド回路は、１Ｈ内で映像信号を各信号ラインに順次サンプリングし、選択された一行分の液晶画素に点順次で映像信号の書き込みを行なう。
【０００４】
上記したサンプルホールド回路はシフトレジスタを使用してスイッチのＯＮとＯＦＦのタイミングを制御し時分割で１ライン毎若しくは複数ライン毎に映像信号を信号ラインにサンプルホールドするのであるが、サンプルホールド回路の負担を軽減するために、水平ブランキング期間にプリチャージ回路で信号ラインをあらかじめ所定の電位に充電を行うこととするプリチャージ駆動方式が採用されている（例えば、特許文献１参照。）。
【０００５】
ここで、従来の液晶表示装置における信号ラインへの映像信号の書き込み動作について説明する。なお、図９中符合２０８は映像信号供給ラインを示しており、第１のスイッチ２０９ａをＯＮの状態とすることで第１の信号ライン２１０ａに映像信号が供給され、第２のスイッチ２０９ｂをＯＮの状態とすることで第２の信号ライン２１０ｂに映像信号が供給され、第３のスイッチ２０９ｃをＯＮの状態とすることで第３の信号ライン２１０ｃに映像信号が供給されることとなる。また、図９中符合２１１はプリチャージ信号供給ラインを示しており、第４のスイッチ２１２ａをＯＮの状態とすることで第１の信号ラインにプリチャージ信号が供給され、第５のスイッチ２１２ｂをＯＮの状態とすることで第２の信号ラインにプリチャージ信号が供給され、第６のスイッチ２１２ｃをＯＮの状態とすることで第３の信号ラインにプリチャージ信号が供給されることとなる。
【０００６】
さて、従来の液晶表示装置における信号ラインへの映像信号の書き込み動作については、先ず、水平ブランキング期間に第４のスイッチ、第５のスイッチ及び第６のスイッチをＯＮの状態として第１の信号ライン、第２の信号ライン及び第３の信号ラインをプリチャージし（図９（ａ）参照。）、次に、第４のスイッチ、第５のスイッチ及び第６のスイッチを一斉にＯＦＦの状態とする（図９（ｂ）参照。）。
続いて、第１のスイッチをＯＮの状態として第１の信号ラインに映像信号を書き込む（図９（ｃ）参照。）。また、第１のスイッチをＯＦＦの状態とした後に、第２のスイッチをＯＮの状態として第２の信号ラインに映像信号を書き込む（図９（ｄ）参照。）。更に、第２のスイッチをＯＦＦの状態とした後に、第３のスイッチをＯＮの状態として第３の信号ラインに映像信号を書き込む。
以降、同様の動作を繰り返すことによって、全ての信号ラインに対して映像信号の書き込みを行なっている。
【０００７】
以下、図１０で示すサンプルホールド及びプリチャージ回路を用いて信号ラインに映像信号を書き込む場合を例に挙げて、映像信号の書き込みについて更に詳細に説明する。なお、図１０ではスイッチング素子としてトランスミッションゲートを使用しているがスイッチング素子として単体のトランジスタで構成されていても良い。また、図１１はプリチャージ制御パルス、スイッチ制御パルス、信号ライン、コモンライン及びゲートラインの電圧波形を示している。
【０００８】
信号ラインに映像信号を書き込む場合には、先ず、水平ブランキング期間のプリチャージ制御パルスが論理正となる期間に信号ラインにプリチャージがなされる。即ち、プリチャージ制御パルス供給ライン２１３に供給するプリチャージ制御パルスを論理正とすることで、第４のスイッチ、第５のスイッチ及び第６のスイッチがＯＮの状態となり、第１の信号ライン、第２の信号ライン及び第３の信号ラインにプリチャージ信号が供給される。
続いて、クロックに同期した第１のスイッチ制御パルス、第２のスイッチ制御パルス及び第３のスイッチ制御パルスを第１のスイッチ、第２のスイッチ及び第３のスイッチに供給して、第１のスイッチ、第２のスイッチ及び第３のスイッチのＯＮ状態とＯＦＦ状態の制御を行うことで、第１の信号ライン、第２の信号ライン及び第３の信号ラインに映像信号を書き込む。即ち、スイッチ制御パルス１を論理正とすることで第１のスイッチをＯＮ状態として第１の信号ラインに映像信号を書き込み、スイッチ制御パルス２を論理正とすることで第２のスイッチをＯＮ状態として第２の信号ラインに映像信号を書き込み、スイッチ制御パルス３を論理正とすることで第３のスイッチをＯＮ状態として第３の信号ラインに映像信号を書き込む。なお、第１のスイッチ制御パルスを論理正とした後に、第２のスイッチ制御パルスを論理正とし、その後、第３のスイッチ制御パルスを論理正とすることで、第１の信号ライン、第２の信号ライン、第３の信号ラインの順で映像信号の書き込みを行うことができる。
【０００９】
【特許文献１】特開平１０−１０５１２６号公報
【発明の開示】
【発明が解決しようとする課題】
【００１０】
ところで、図１２で示す様に、信号ラインとコモンラインとの間及び信号ラインとゲートラインとの間には寄生容量（図１２中符号Ａは信号ラインとコモンラインとの間の寄生容量を示し、図１２中符号Ｂは信号ラインとゲートラインとの間の寄生容量を示す）が存在する。そして、これらの寄生容量や保持容量により映像信号を信号ラインへ書き込む際の電位変化が容量性結合によりコモンラインや信号ラインの電位に影響を及ぼすことがあり、その場合にクロストークと呼ばれる画質不良が発生する。また、コモンラインやゲートラインの電位の揺れ（乱れ）が映像信号を書き込む前の信号ラインの電位を変動させることもある。
【００１１】
そして、上記した信号ラインへの映像信号の書き込み方法（従来の映像信号の書き込み方法）の場合には、信号ラインの電位変動が容量性結合によってコモンラインやゲートラインの電位変動を引き起こすこととなる。具体的には、図１１において、第１の信号ラインに映像信号の書き込みを行ったタイミング（第１のスイッチ制御パルスが論理正となったタイミング）で第２の信号ライン、第３の信号ライン、ゲートライン及びコモンラインに電位変動が生じ、第２の信号ラインに映像信号の書き込みを行ったタイミング（第２のスイッチ制御パルスが論理正となったタイミング）で第３の信号ライン、ゲートライン及びコモンラインに電位変動が生じていることが分かる。
なお、通常はコモンラインやゲートラインは電位変動があってもその変動分が回復しやすい様に低インピーダンス化を心掛けた設計を行うのであるが、配線材料や配線スペース等の物理的な制約から限界がある。
【００１２】
本発明は以上の点に鑑みて創案されたものであって、クロストーク等の画質不良を抑制することができる表示装置及び映像表示装置を提供することを目的とするものである。
【課題を解決するための手段】
【００１３】
上記の目的を達成するために、本発明に係る表示装置は、行方向に配されたゲートラインと、列方向に配された信号ラインと、各ゲートラインと各信号ラインが交差する部分に配された行列状の画素とを有する画素アレイ部と、各ゲートラインに接続され、所定の垂直走査期間で各画素を行毎に順次選択する垂直駆動回路と、映像信号を供給する映像ラインと、該映像ラインと各信号ラインとの間に接続された第１のスイッチング素子群と、所定の水平走査期間で前記第１のスイッチング素子群の各スイッチング素子を順次駆動し、選択された行の画素に映像信号を書き込む水平駆動回路と、プリチャージ信号を供給するプリチャージラインと、該プリチャージラインと各信号ラインとの間に接続された第２のスイッチング素子群と、各所定の水平走査期間に先立つ水平ブランキング期間で前記第２のスイッチング素子群の各スイッチング素子を一斉に駆動し、各信号ラインに一斉にプリチャージ信号を印加するプリチャージ駆動回路とを備える表示装置において、先に書き込みを行なう画素に映像信号が供給された後に、後に書き込みを行なう画素へのプリチャージ信号の供給を停止する。
【００１４】
また、上記の目的を達成するために、本発明に係る映像表示装置は、行方向に配されたゲートラインと、列方向に配された信号ラインと、各ゲートラインと各信号ラインが交差する部分に配された行列状の画素とを有する画素アレイ部と、各ゲートラインに接続され、所定の垂直走査期間で各画素を行毎に順次選択する垂直駆動回路と、映像信号を供給する映像ラインと、該映像ラインと各信号ラインとの間に接続された第１のスイッチング素子群と、所定の水平走査期間で前記第１のスイッチング素子群の各スイッチング素子を順次駆動し、選択された行の画素に映像信号を書き込む水平駆動回路と、プリチャージ信号を供給するプリチャージラインと、該プリチャージラインと各信号ラインとの間に接続された第２のスイッチング素子群と、各所定の水平走査期間に先立つ水平ブランキング期間で前記第２のスイッチング素子群の各スイッチング素子を一斉に駆動し、各信号ラインに一斉にプリチャージ信号を印加するプリチャージ駆動回路とを有する表示装置を備え、該表示装置によって変調された光を用いて映像表示を行なう映像表示装置において、先に書き込みを行なう画素に映像信号が供給された後に、後に書き込みを行なう画素へのプリチャージ信号の供給を停止する。
【００１５】
ここで、先に書き込みを行なう画素に映像信号が供給された後に、後に書き込みを行なう画素へのプリチャージ信号の供給を停止することによって、先に書き込みを行なう画素に接続された信号ラインに映像信号を供給する際に、後に書き込みを行なう画素に接続された信号ラインを電気的に固定できるため、後に書き込みを行なう画素に接続された信号ラインの電位変動を抑制することができる。
【発明の効果】
【００１６】
本発明の表示装置及び映像表示装置では、先に書き込みを行なう画素に接続された信号ラインに映像信号を供給する際に、後に書き込みを行なう画素に接続された信号ラインを電気的に固定することができるため、ゲートラインやコモンラインを寄生容量による電位変動が少ない構造とすることができるために、即ち、映像信号を信号ラインに書き込む際に容量性結合によりコモンラインやゲートラインの電位が乱されることを抑制することができるために、クロストークの低減が図れる。また、映像信号を書き込む前に信号線のプリチャージ電位が変動することを抑制することができるために、クロストークの低減が図れる。
【発明を実施するための最良の形態】
【００１７】
以下、本発明の実施の形態について図面を参照しながら説明し、本発明の理解に供する。
図１は本発明を適用した表示装置の一例であるアクティブマトリクス駆動方式の液晶表示装置であり、ここで示す液晶表示装置は、従来の液晶表示装置と同様に、行方向に配されたゲートライン１と、列方向に配された信号ライン２と、両者の各交差部に配された保持容量３を有する行列状の液晶画素４とを備えており、保持容量の一端は保持容量の基準電位を供給するコモンライン２０と接続されている。なお、個々の液晶画素は薄膜トランジスタにより駆動される。また、ゲートラインは、書き込みを行なう行を選択する走査回路５に接続されており、信号ラインは、映像信号の書き込みを行なうサンプルホールド回路６及びプリチャージ信号の供給を行なうプリチャージ回路７に接続されている。
なお、図１では説明の便宜上３行×３列のみを表しているものの、実際には画素は数万〜数百万個配置されている。
【００１８】
ここで、本発明の液晶表示装置における信号ラインへの映像信号の書き込み動作について説明する。なお、図２中符号８は映像信号供給ラインを示しており、第１のスイッチ９ａをＯＮの状態とすることで第１の信号ライン１０ａに映像信号が供給され、第２のスイッチ９ｂをＯＮの状態とすることで第２の信号ライン１０ｂに映像信号が供給され、第３のスイッチ９ｃをＯＮの状態とすることで第３の信号ライン１０ｃに映像信号が供給されることとなる。また、図２中符合１１はプリチャージ信号供給ラインを示しており、第４のスイッチ１２ａをＯＮの状態とすることで第１の信号ラインにプリチャージ信号が供給され、第５のスイッチ１２ｂをＯＮの状態とすることで第２の信号ラインにプリチャージ信号が供給され、第６のスイッチ１２ｃをＯＮの状態とすることで第３の信号ラインにプリチャージ信号が供給されることとなる。
また、以下では第１の信号ライン，第２の信号ライン，第３の信号ラインの順に映像信号の書き込みを行なう場合を例に挙げて説明を行なう。即ち、第１の信号ラインに接続された画素と第２の信号ラインに接続された画素との関係は、第１の信号ラインに接続された画素が「先に書き込みを行なう画素」であり、第２の信号ラインに接続された画素が「後に書き込みを行なう画素」である。同様に、第２の信号ラインに接続された画素と第３の信号ラインに接続された画素との関係は、第２の信号ラインに接続された画素が「先に書き込みを行なう画素」であり、第３の信号ラインに接続された画素が「後に書き込みを行なう画素」である。
【００１９】
さて、本発明の液晶表示装置における信号ラインへの映像信号の書き込み動作については、先ず、水平ブランキング期間に第４のスイッチ、第５のスイッチ及び第６のスイッチをＯＮの状態として第１の信号ライン、第２の信号ライン及び第３の信号ラインをプリチャージし（図２（ａ）参照。）、次に、第４のスイッチのみをＯＦＦの状態とし（図２（ｂ）参照。）、続いて、第１のスイッチをＯＮの状態として第１の信号ラインに映像信号を書き込む（図２（ｃ）参照。）。また、第１のスイッチをＯＦＦの状態とした後に、第５のスイッチをＯＦＦの状態とし、続いて、第２のスイッチをＯＮの状態として第２の信号ラインに映像信号を書き込む（図２（ｄ）参照。）。更に、第２のスイッチをＯＦＦの状態とした後に、第６のスイッチをＯＦＦの状態とし、続いて、第３のスイッチをＯＮの状態として第３の信号ラインに映像信号を書き込む。
以降、同様の動作を繰り返すことによって、全ての信号ラインに対して映像信号の書き込みを行なうのである。
【００２０】
また、図３は本発明を適用した液晶表示装置におけるサンプルホールド回路及びプリチャージ回路の模式図であり、従来の液晶表示装置との違いは、プリチャージ回路にシフトレジスタを使用して１ライン毎若しくは複数ライン毎に時分割で信号ラインへのプリチャージ信号の供給ができる様に構成した点である。また、図４はプリチャージ制御パルス、スイッチ制御パルス及び信号ラインの電圧波形を示している。
以下、映像信号の書き込みについて更に詳細に説明する。
【００２１】
本発明を適用した液晶表示装置では、プリチャージ制御パルスＡが論理正となってからプリチャージ制御パルスＢ１，Ｂ２，Ｂ３が論理正となるまでの期間に第１の信号ライン，第２の信号ライン，第３の信号ラインにプリチャージ信号が供給される回路構成となっている。
具体的には、図中符号１３で示すプリチャージ制御パルス供給ラインＡに供給されるプリチャージ制御パルスＡが論理正になってから、図中符号１５ａで示すプリチャージ制御パルス供給ラインＢ１に供給するプリチャージ制御パルスＢ１が論理正になるまでの期間に第４のスイッチがＯＮの状態となり、プリチャージ信号供給ラインから第１の信号ラインに充電ができる様に構成されている。また、プリチャージ制御パルスＡが論理正になってから、図中符号１５ｂで示すプリチャージ制御パルス供給ラインＢ２に供給するプリチャージ制御パルスＢ２が論理正になるまでの期間に第５のスイッチがＯＮの状態となり、プリチャージ信号供給ラインから第２の信号ラインに充電ができる様に構成されている。同様に、プリチャージ制御パルスＡが論理正になってから、図中符号１５ｃで示すプリチャージ制御パルス供給ラインＢ３に供給するプリチャージ制御パルスＢ３が論理正になるまでの期間に第６のスイッチがＯＮの状態となり、プリチャージ信号供給ラインから第３の信号ラインに充電ができる様に構成されている。
【００２２】
ここで、第４のスイッチがＯＦＦの状態となる（プリチャージ制御パルスＢ１が供給されて、第４のスイッチに供給される第４のスイッチ制御パルスが論理負となる）と直ぐに第１のスイッチに供給されるスイッチ制御パルス１が論理正となり、第１のスイッチがＯＮの状態となることで第１の信号ラインに映像信号の書き込みが行なわれる。また、第５のスイッチがＯＦＦの状態となる（プリチャージ制御パルスＢ２が供給されて、第５のスイッチに供給される第５のスイッチ制御パルスが論理負となる）と直ぐに第２のスイッチに供給されるスイッチ制御パルス２が論理正となり、第２のスイッチがＯＮの状態となることで第２の信号ラインに映像信号の書き込みが行なわれる。同様に、第６のスイッチがＯＦＦの状態となる（プリチャージ制御パルスＢ３が供給されて、第６のスイッチに供給される第６のスイッチ制御パルスが論理負となる）と直ぐに第３のスイッチに供給されるスイッチ制御パルス３が論理正となり、第３のスイッチがＯＮの状態となることで第３の信号ラインに映像信号の書き込みが行なわれる。
【００２３】
本発明を適用した液晶表示装置では、第１の信号ラインに映像信号を書き込む際に第５のスイッチ及び第６のスイッチがＯＮの状態を維持しているために、即ち、従来の液晶表示装置では第１の信号ラインに映像信号を書き込む際には第５のスイッチ及び第６のスイッチがＯＦＦの状態であったのに対して、本発明を適用した液晶表示装置では、第１の信号ラインに映像信号を書き込む際に第５のスイッチ及び第６のスイッチをＯＮの状態としているために、第１の信号ラインへの映像信号の書き込み動作がゲートラインやコモンラインの電位変動を招いたとしても、第２の信号ライン及び第３の信号ラインの電位変動は、第５のスイッチ及び第６のスイッチを介してプリチャージ信号供給ラインへと開放されることとなり、映像信号を書き込む前に第２の信号ライン及び第３の信号ラインのプリチャージ電位が変動することを抑えることができ、クロストーク等の画質不良を抑制することができる。
【００２４】
また、本発明を適用した液晶表示装置では、信号ラインを電気的に固定するために、即ち、従来の液晶表示装置では第４のスイッチ、第５のスイッチ及び第６のスイッチを一斉にＯＦＦの状態として、第１の信号ラインに映像信号が書き込まれている際に、第２の信号ライン及び第３の信号ラインは電気的にフローティングであったのに対して、本発明を適用した液晶表示装置では、第１の信号ラインに映像信号を書き込む際に第５のスイッチ及び第６のスイッチをＯＮの状態としているために、信号ライン及びコモンラインの容量形成に貢献することとなる。換言すると、信号ライン及びコモンラインを寄生容量によって電位変動が少ない構造とすることができる。
このことは、映像信号を信号ラインに書き込む際に、容量性結合によりコモンライン及び信号ラインの電位が乱されることを抑制し、クロストーク等の画質不良が改善できることとなる。
【００２５】
また、本発明を適用した液晶表示装置では、従来の液晶表示装置と比較するとプリチャージ信号の供給時間を充分に確保することが可能となる。即ち、従来の液晶表示装置のプリチャージ動作は水平ブランキング期間のみであったのに対して、本発明を適用した液晶表示装置のプリチャージ動作は信号ラインへの映像信号の書き込みタイミングの直前まで行なうことができるために、従来の液晶表示装置と比較するとプリチャージ信号の供給時間を充分に確保することが可能となる。
このことは、高精細化及びハイリフレッシュレート化が求められ、水平ブランキング期間が短くなった場合であっても、信号ラインにプリチャージを行なう時間を充分に確保することができることとなる。
【００２６】
図５は本発明を適用した液晶表示装置におけるサンプルホールド回路及びプリチャージ回路の変形例の模式図であり、画質改善を目的として信号ラインのプリチャージを２段階に行なう場合にも適用可能とすべく、プリチャージ信号供給ラインとして第１のプリチャージ信号供給ライン及び第２のプリチャージ信号供給ラインの２系統を用意したものである。
即ち、上記した様に、サンプルホールド回路の負担を軽減するためにプリチャージを行なうのであるが、ウィンドウパターンなどを表示した際、液晶画素トランジスタのソース／ドレイン間での光リーク量が局所的に異なることに起因して、縦方向のクロストークが発生して画質品位を損なうことが考えられる。これに対して、液晶画素トランジスタのソース／ドレイン間のリーク電流を画面全体にわたって均一とし、縦方向のクロストークを抑制すべく、例えば特開２０００−２６７０６７号公報に記載の「点順次２ステッププリチャージ方式」が提案されており、こうした縦方向のクロストークの抑制方法を実現すべく信号ラインのプリチャージを２段階に行なう場合に適用可能としたものが図５に示す変形例である。
また、図６はプリチャージ制御パルス、スイッチ制御パルス及び信号ラインの電圧波形を示している。
以下、映像信号の書き込みについて説明する。
【００２７】
本発明を適用した液晶表示装置の変形例では、プリチャージ制御パルスＡが論理正となってからプリチャージ制御パルスＢ１，Ｂ２，Ｂ３が論理正となるまでの期間に第１の信号ライン，第２の信号ライン，第３の信号ラインに第１のプリチャージ信号が供給される回路構成となっている。
具体的には、図中符号１３で示すプリチャージ制御パルス供給ラインＡに供給されるプリチャージ制御パルスＡが論理正になってから、図中符号１５ａで示すプリチャージ制御パルス供給ラインＢ１に供給するプリチャージ制御パルスＢ１が論理正になるまでの期間に図中符号２１ａで示す第４のスイッチＡがＯＮの状態となり、第１のプリチャージ信号供給ライン２３から第１の信号ラインに第１のプリチャージ信号を供給できる様に構成されている。また、プリチャージ制御パルスＡが論理正になってから、図中符号１５ｂで示すプリチャージ制御パルス供給ラインＢ２に供給するプリチャージ制御パルスＢ２が論理正になるまでの期間に図中符号２１ｂで示す第５のスイッチＡがＯＮの状態となり、第１のプリチャージ信号供給ラインから第２の信号ラインに第１のプリチャージ信号を供給できる様に構成されている。同様に、プリチャージ制御パルスＡが論理正になってから、図中符号１５ｃで示すプリチャージ制御パルス供給ラインＢ３に供給するプリチャージ制御パルスＢ３が倫理正になるまでの期間に図中符号２１ｃで示す第６のスイッチＡがＯＮの状態となり、第１のプリチャージ信号供給ラインから第３の信号ラインに第１のプリチャージ信号を供給できる様に構成されている。
【００２８】
次に、プリチャージ制御信号Ｂ１，Ｂ２，Ｂ３が論理正となることで、第１の信号ライン，第２の信号ライン，第３の信号ラインに第２のプリチャージ信号が供給される回路構成となっている。
具体的には、プリチャージ制御信号Ｂ１が論理正となることで、第４のスイッチＡがＯＦＦの状態になる（第４のスイッチＡに供給されるスイッチ制御パルスＡ１が論理負となる）と共に図中符合２２ａで示す第４のスイッチＢがＯＮの状態となり（第４のスイッチＢに供給されるスイッチ制御パルスＢ１が論理正となり）、第２のプリチャージ信号供給ライン２４から第１の信号ラインに第２のプリチャージ信号が供給できる様に構成されている。また、プリチャージ制御信号Ｂ２が論理正となることで、第５のスイッチＡがＯＦＦの状態になる（第５のスイッチＡに供給されるスイッチ制御パルスＡ２が論理負となる）と共に図中符合２２ｂで示す第５のスイッチＢがＯＮの状態となり（第５のスイッチＢに供給されるスイッチ制御パルスＢ２が論理正となり）、第２のプリチャージ信号供給ラインから第２の信号ラインに第２のプリチャージ信号が供給できる様に構成されている。同様に、プリチャージ制御信号Ｂ３が論理正となることで、第６のスイッチＡがＯＦＦの状態になる（第６のスイッチＡに供給されるスイッチ制御パルスＡ３が論理負となる）と共に図中符合２２ｃで示す第６のスイッチＢがＯＮの状態となり（第６のスイッチＢに供給されるスイッチ制御パルスＢ３が論理正となり）、第２のプリチャージ信号供給ラインから第３の信号ラインに第２のプリチャージ信号が供給できる様に構成されている。
【００２９】
ここで、第４のスイッチＢがＯＦＦの状態となる（第４のスイッチＢに供給されるスイッチ制御パルスＢ１が論理負となる）と直ぐに第１のスイッチに供給される制御パルス１が論理正となり、第１のスイッチがＯＮの状態となることで第１の信号ラインに映像信号の書き込みが行なわれる。また、第５のスイッチＢがＯＦＦの状態となる（第５のスイッチＢに供給されるスイッチ制御パルスＢ２が論理負となる）と直ぐに第２のスイッチに供給される制御パルス２が論理正となり、第２のスイッチがＯＮの状態となることで第２の信号ラインに映像信号の書き込みが行なわれる。同様に、第６のスイッチＢがＯＦＦの状態となる（第６のスイッチＢに供給されるスイッチ制御パルスＢ３が論理負となる）と直ぐに第３のスイッチに供給される制御パルス３が論理正となり、第３のスイッチがＯＮの状態となることで第３の信号ラインに映像信号の書き込みが行なわれる。
【００３０】
本発明を適用した液晶表示装置の変形例では、第１の信号ラインに映像信号を書き込む際に第５のスイッチＡ及び第６のスイッチＡがＯＮの状態を維持しているために、第１の信号ラインへの映像信号の書き込み動作がゲートラインやコモンラインの電位変動を招いたとしても、第２の信号ライン及び第３の信号ラインの電位変動は、第５のスイッチＡ及び第６のスイッチＡを介してプリチャージ信号ラインへと開放されることとなり、映像信号を書き込む前に第２の信号ライン及び第３の信号ラインのプリチャージ電位が変動することを抑えることができ、点順次２ステッププリチャージ方式を採用しながらも、クロストーク等の画質不良を抑制することができる。
【００３１】
また、本発明を適用した液晶表示装置の変形例では、信号ラインを電気的に固定するために、信号ライン及びコモンラインの容量形成に貢献することとなり、点順次２ステッププリチャージ方式を採用しながらも、信号ライン及びコモンラインを寄生容量によって電位変動が少ない構造とすることができる。
【００３２】
更に、本発明を適用した液晶表示装置では、点順次２ステッププリチャージ方式を採用しながらも従来の液晶表示装置と比較するとプリチャージ信号の供給時間を充分に確保することができる。
【００３３】
図７は本発明を適用した映像表示装置の一例である液晶プロジェクタを説明するための模式図であり、ここで示す液晶プロジェクタ１００は、いわゆる３板方式として赤、緑、青の３原色に対応した３つのライトバルブに図１に示す液晶表示装置を使用し、スクリーン上に拡大投影されたカラー映像を表示する投射型の画像表示装置である。
【００３４】
具体的に、この反射型液晶プロジェクタは、照明光を出射する光源であるランプ１０１と、ランプからの照明光を赤色光（Ｒ），緑色光（Ｇ），青色光（Ｂ）に分離する分離光学手段であるダイクロイック色分離フィルタ１０２及びダイクロイックミラー１０３と、分離された赤色光（Ｒ），緑色光（Ｇ），青色光（Ｂ）をそれぞれ変調して反射する光変調手段であるＲライトバルブ１０４Ｒ，Ｇライトバルブ１０４Ｇ及びＢライトバルブ１０４Ｂと、変調された赤色光（Ｒ），緑色光（Ｇ），青色光（Ｂ）を合成する合成光学手段である合成プリズム１０５と、合成された照明光をスクリーンに投射する投射手段である投射レンズ１０６とを備えている。
【００３５】
ここで、ランプは、赤色光（Ｒ）、緑色光（Ｇ）及び青色光（Ｂ）を含む白色光を照射するものであり、例えばハロゲンランプや、メタルハロゲンランプ、キセノンランプ等からなる。
【００３６】
また、ランプとダイクロイック色分離フィルタとの間の光路中には、ランプから出射された照明光の照度分布を均一化するフライアイレンズ１０７や、照明光のＰ，Ｓ偏光成分を一方の偏光成分（例えばＳ偏光成分）に変換する偏光変換素子１０８、照明光を集光させるコンデンサレンズ１０９等が配置されている。
【００３７】
ダイクロイック色分離フィルタは、ランプから照射された白色光を青色光（Ｂ）とその他の色光（Ｒ，Ｇ）とに分離する機能を有し、分離された青色光（Ｂ）とその他の色光（Ｒ，Ｇ）とを互いに逆向きに反射させる様に構成されている。
【００３８】
また、ダイクロイック色分離フィルタとＢライトバルブとの間には、分離された青色光（Ｂ）をＢライトバルブに向けて反射させる全反射ミラー１１０が配置され、ダイクロイック色分離フィルタとダイクロイックミラーとの間には、分離されたその他の色光（Ｒ，Ｇ）をダイクロイックミラーに向けて反射させる全反射ミラー１１１が配置されている。
【００３９】
ダイクロイックミラーは、その他の色光（Ｒ，Ｇ）を赤色光（Ｒ）と緑色光（Ｇ）とに分離する機能を有し、分離された赤色光（Ｒ）をＲライトバルブに向かって透過させ、分離された緑色光（Ｇ）をＧライトバルブに向かって反射させる。
【００４０】
また、各ライトバルブ１０４Ｒ，１０４Ｇ，１０４Ｂと合成プリズムとの間には、それぞれ分離された各色光Ｒ，Ｇ，Ｂを各ライトバルブに導くＲ，Ｇ，Ｂ偏光ビームスプリッタ１１２Ｒ，１１２Ｇ，１１２Ｂが配置されている。これらＲ，Ｇ，Ｂ偏光ビームスプリッタは、入射した各色光Ｒ，Ｇ，ＢをＰ偏光成分とＳ偏光成分とに分離する機能を有し、一方の偏光成分（例えばＳ偏光成分）をＲ，Ｇ，Ｂライトバルブに向かって反射させ、他方の偏光成分（例えばＰ偏光成分）を合成プリズムに向かって透過させる。
【００４１】
Ｒ，Ｇ，Ｂライトバルブは、上記した液晶表示装置からなり、各偏光ビームスプリッタによって導かれた一方の偏光成分（例えばＳ偏光成分）の光を映像信号に応じて偏光変調させながら、その偏光変調された光を各偏光ビームスプリッタに向かって反射させる。
【００４２】
合成プリズムは、いわゆるクロスキューブプリズムであり、各偏光ビームスプリッタを通過した他方の偏光成分（例えばＰ偏光成分）の各色光Ｒ，Ｇ，Ｂを合成する機能を有し、合成された光を投射レンズに向かって出射する。
【００４３】
投射レンズは、合成プリズムからの光をスクリーンに向かって拡大投影する機能を有している。
【００４４】
以上の様に構成される液晶プロジェクタでは、ランプから出射された白色光がダイクロイック色分離フィルタ及びダイクロイックミラーによって赤色光（Ｒ），緑色光（Ｇ），青色光（Ｂ）に分離される。これら分離された赤色光（Ｒ），緑色光（Ｇ），青色光（Ｂ）は、Ｓ偏光成分の光であり、各偏光ビームスプリッタを通って各ライトバルブへと入射される。各ライトバルブに入射された赤色光（Ｒ），緑色光（Ｇ），青色光（Ｂ）は、各ライトバルブの各画素に印加される駆動電圧に応じて偏光変調された後、各偏光ビームスプリッタに向かって反射される。そして、これら変調された赤色光（Ｒ），緑色光（Ｇ），青色光（Ｂ）は、Ｐ偏光成分の光のみが各偏光ビームスプリッタを透過し、合成プリズムによって合成され、この合成された光が投射レンズによってスクリーン上に拡大投射される。
【００４５】
以上の様にして、この液晶プロジェクタでは、ライトバルブによって変調された光に応じた映像をスクリーン上に拡大投影することでカラー映像表示を行なう。
【００４６】
ところで、各ライトバルブを構成する液晶表示装置は、上述した様に、クロストーク等の画質不良を抑制することが可能であることから、ここで示す液晶プロジェクタにおいてもクロストーク等の画質不良を抑制でき良好な表示画像を得ることができる。
【００４７】
なお、本実施例では液晶プロジェクタのようにスクリーンに投射する投射型の画像表示装置を例に挙げて説明を行ったが、本発明は液晶表示装置を直接見るような直視型の画像表示装置にも広く適用可能である。
【図面の簡単な説明】
【００４８】
【図１】本発明を適用した表示装置の一例であるアクティブマトリクス駆動方式の液晶表示装置である。
【図２】本発明の液晶表示装置における信号ラインへの映像信号の書き込み動作を説明するための模式図である。
【図３】本発明を適用した液晶表示装置におけるサンプルホールド回路及びプリチャージ回路の模式図である。
【図４】本発明を適用した液晶表示装置を駆動する際のプリチャージ制御パルス、スイッチ制御パルス及び信号ラインの電圧波形を示す図（１）である。
【図５】本発明を適用した液晶表示装置におけるサンプルホールド回路及びプリチャージ回路の変形例の模式図である。
【図６】本発明を適用した液晶表示装置を駆動する際のプリチャージ制御パルス、スイッチ制御パルス及び信号ラインの電圧波形を示す図（２）である。
【図７】本発明を適用した映像表示装置の一例である液晶プロジェクタを説明するための模式図である。
【図８】従来のアクティブマトリクス駆動方式の液晶表示装置を説明するための模式図である。
【図９】従来の液晶表示装置における信号ラインへの映像信号の書き込み動作を説明するための模式図である。
【図１０】従来の液晶表示装置におけるサンプルホールド及びプリチャージ回路の模式図である。
【図１１】従来の液晶表示装置を駆動する際のプリチャージ制御パルス、スイッチ制御パルス、信号ライン、コモンライン及びゲートラインの電圧波形である。
【図１２】寄生容量を説明するための模式図である。
【符号の説明】
【００４９】
１    ゲートライン
２    信号ライン
３    保持容量
４    液晶画素
５    走査回路
６    サンプルホールド回路
７    プリチャージ回路
８    映像信号供給ライン
９ａ    第１のスイッチ
９ｂ    第２のスイッチ
９ｃ    第３のスイッチ
１０    信号ライン
１１    プリチャージ信号供給ライン
１２ａ  第４のスイッチ
１２ｂ  第５のスイッチ
１２ｃ  第６のスイッチ
１３    プリチャージ制御パルス供給ラインＡ
１５ａ  プリチャージ制御パルス供給ラインＢ１
１５ｂ  プリチャージ制御パルス供給ラインＢ２
１５ｃ  プリチャージ制御パルス供給ラインＢ３
２０    コモンライン
２１ａ  第４のスイッチＡ
２１ｂ  第５のスイッチＡ
２１ｃ  第６のスイッチＡ
２２ａ  第４のスイッチＢ
２２ｂ  第５のスイッチＢ
２２ｃ  第６のスイッチＢ
２３    第１のプリチャージ信号供給ライン
２４    第２のプリチャージ信号供給ライン
１００    液晶プロジェクタ
１０１    ランプ
１０２    ダイクロイック色分離フィルタ
１０３    ダイクロイックミラー
１０４    ライトバルブ
１０５    合成プリズム
１０６    投射レンズ
１０７    フライアイレンズ
１０８    偏光変換素子
１０９    コンデンサレンズ
１１０、１１１    全反射ミラー
１１２    偏光ビームスプリッタ
【図１】
2007240748.tif 000003
【図２】
2007240748.tif 000004
【図３】
2007240748.tif 000005
【図４】
2007240748.tif 000006
【図５】
2007240748.tif 000007
【図６】
2007240748.tif 000008
【図７】
2007240748.tif 000009
【図８】
2007240748.tif 000010
【図９】
2007240748.tif 000011
【図１０】
2007240748.tif 000012
【図１１】
2007240748.tif 000013
【図１２】
2007240748.tif 000014